(57)【要約】【課題】  ハンズフリーシステムと携帯電話機を接続する接続ケーブル及び接続作業を不要にする。【解決手段】  本発明のハンズフリーシステムは、車両の室内に配設されるものであって、音声を出力する音声出力手段３と、音声を入力する音声入力手段４と、携帯電話機の動作を制御する制御手段とを備えて成るものにおいて、携帯電話機が車両の室内に持ち込まれたときに、この携帯電話機との間でデータや信号等を無線通信によって送受するように構成したものである。この構成によれば、ハンズフリーシステムと携帯電話機を接続する接続ケーブル及び接続作業が不要になる。【選択図】      図１
2005312067.tif 000002
【特許請求の範囲】
【請求項１】
車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能であり、自己の状態を前記表示手段に表示させるために、前記無線通信手段にて、前記自己の状態を前記ハンズフリーシステムに送信する携帯電話機であって、
他の携帯電話機と通信可能なサービスエリアの圏内もしくは圏外のいずれかの状態であることを、前記自己の状態として、前記無線通信手段にて前記ハンズフリーシステムに送信することを特徴とする携帯電話機。
【請求項２】
携帯電話網からの信号の受信レベルを検出し、この検出された受信レベルを表す信号を、前記自己の状態として、前記無線通信手段にて前記ハンズフリーシステムに送信することを特徴とする請求項１記載の携帯電話機。
【請求項３】
車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能な携帯電話機であって、
携帯電話網からの信号の受信レベルを検出し、この検出された受信レベルを表す信号を、前記無線通信手段にて前記ハンズフリーシステムに送信することを特徴とする携帯電話機。
【請求項４】
車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能であり、自己の状態を前記表示手段に表示させるために、前記無線通信手段にて、前記自己の状態を前記ハンズフリーシステムに送信する携帯電話機であって、
携帯電話網からの信号の受信レベルを検出し、この検出された受信レベルを表す信号を、前記自己の状態として前記無線通信手段にて前記ハンズフリーシステムに送信することを特徴とする携帯電話機。
【請求項５】
前記音声出力手段から出力される音量を制御する信号を、前記無線通信手段にて送信することを特徴とする請求項１ないし４いずれか１つに記載に携帯電話機。
【発明の詳細な説明】
【技術分野】
【０００１】
本発明は、例えば自動車等の車両を運転する運転者が携帯電話機を持たずに通話することができるハンズフリーシステムに無線接続される携帯電話機に関する。
【背景技術】
【０００２】
ハンズフリーシステムの一例として、箱状のケースの内部に、音声を出力するスピーカ（音声出力手段）と音声を入力するマイク（音声入力手段）と携帯電話機の動作を制御する制御装置（制御手段）とを設けた構成がある。この構成の場合、上記ケースを車両の室内の適当な部位に配設し、ケースから導出された電源ケーブルをシガレットライターのソケットに接続し、ケースから導出された接続ケーブルを車両の室内に持ち込まれた携帯電話機に接続している。
【０００３】
上記構成によれば、携帯電話機が着呼したときには、ケースに設けられた通話開始キーを操作することにより、受話音声をスピーカから出力すると共に、送話音声をマイクから入力することができるようになる。この結果、運転者は、携帯電話機を持たずに通話できる。
【発明の開示】
【発明が解決しようとする課題】
【０００４】
しかしながら、上記従来構成では、携帯電話機を車両の室内に持ち込んだときに、ハンズフリーシステムの接続ケーブルを携帯電話機に接続する作業を行わなければならず、その作業が面倒である。また、車両の室内は狭いため、ハンズフリーシステムと携帯電話機を接続する接続ケーブルが邪魔になるという不具合もあった。
【０００５】
そこで、本発明の目的は、ハンズフリーシステムと携帯電話機を接続する接続ケーブル及び接続作業を不要にすることができる携帯電話機を提供することにある。
【課題を解決するための手段】
【０００６】
請求項１記載の発明では、車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能であり、自己の状態を前記表示手段に表示させるために、前記無線通信手段にて、前記自己の状態を前記ハンズフリーシステムに送信する携帯電話機であって、他の携帯電話機と通信可能なサービスエリアの圏内もしくは圏外のいずれかの状態であることを、前記自己の状態として、前記無線通信手段にて前記ハンズフリーシステムに送信することを特徴とする。
【０００７】
請求項２記載の発明では、携帯電話網からの信号の受信レベルを検出し、この検出された受信レベルを表す信号を、前記自己の状態として、前記無線通信手段にて前記ハンズフリーシステムに送信することを特徴としている。
【０００８】
また、請求項３記載の発明では、車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能な携帯電話機であって、携帯電話網からの信号の受信レベルを検出し、この検出された受信レベルを表す信号を、前記無線通信手段にて前記ハンズフリーシステムに送信することを特徴とする。
【０００９】
また、請求項４記載の発明では、車両の室内に配設される表示手段と、車両の室内に配設される、音声を出力する音声出力手段と、車室内に配設される、音声を入力する音声入力手段と、制御手段とを有するハンズフリーシステムに対して、無線通信手段によって接続されることで、自己への着信に対する通話を、前記制御手段が処理することで、前記ハンズフリーシステムを用いたハンズフリー通話が可能であり、自己の状態を前記表示手段に表示させるために、前記無線通信手段にて、前記自己の状態を前記ハンズフリーシステムに送信する携帯電話機であって、携帯電話網からの信号の受信レベルを検出し、この検出された受信レベルを表す信号を、前記自己の状態として前記無線通信手段にて前記ハンズフリーシステムに送信することを特徴とする。
【発明の効果】
【００１０】
請求項１〜５の発明によれば、携帯電話機が車両の室内に持ち込まれたときに、携帯電話機とがハンズフリーシステムとが無線接続されることで、ハンズフリー通話が行えるため、ハンズフリーシステムと携帯電話機を接続する接続ケーブル及び接続作業を不要にすることができる。
【００１１】
また、携帯電話機の圏外や、圏内や、受信レベルを、ハンズフリーシステムへ無線送信することで、使用者に携帯電話機の情報を容易視認させることが可能となる。
【発明を実施するための最良の形態】
【００１２】
以下、本発明を自動車の車室内に配設するハンズフリーシステムに適用した一実施例について図面を参照しながら説明する。まず、図１は、本実施例のハンズフリーシステム１の全体構成を概略的に示す図である。この図１に示すように、ハンズフリーシステム１は、本体ケース２と、音声を出力する音声出力手段である例えばスピーカ３と、音声を入力する音声入力手段である例えばマイク４とを備えて構成されている。スピーカ３はほぼ棒状をなす取付部材５の一端部に取り付けられ、マイク４は上記取付部材５の他端部に支持アーム６を介して取り付けられている。
【００１３】
上記取付部材５（即ち、スピーカ３及びマイク４）は、自動車の運転者のシートのヘッドレスト（図示しない）に着脱可能に取り付けられている。そして、スピーカ３及びマイク４は、本体ケース２に接続ケーブル７を介して接続されている。
【００１４】
また、上記本体ケース２には、車室内のインストルメントパネルの下部に配設されたシガレットライターのソケット（図示しない）に着脱可能に挿入接続されるプラグ部８が一体に設けられている。この場合、本体ケース２のプラグ部８をシガレットライターのソケットに挿入接続することにより、ハンズフリーシステム１は自動車に搭載されたバッテリから電源が供給されるように構成されている。尚、イグニッションキーがＡＣＣ位置（またはＩＧ位置）に位置するように回動操作されると、ハンズフリーシステム１に電源が投入されるように構成されている。
【００１５】
また、本体ケース２の上面部（または前面部）には、表示手段である例えば状態インジケータ９が配設されている。この状態インジケータ９には、携帯電話機の圏外表示用のＬＥＤ１０と、携帯電話機の着信表示用のＬＥＤ１１と、携帯電話機の電界強度表示用の例えば３個のＬＥＤ１２、１３、１４と、ブルートースリンクアクティブ表示用のＬＥＤ３０とが設けられている。
【００１６】
更に、本体ケース２の内部には、ハンズフリーシステム１の動作を制御する制御装置１５（図２参照）が配設されている。この制御装置１５が、携帯電話機の動作を制御する制御手段としての機能を備えている。
【００１７】
さて、図２は、ハンズフリーシステム１と携帯電話機１６の電気的構成を示すブロック図である。尚、ハンズフリーシステム１の電気的構成のうちのスピーカ３とマイク４と状態インジケータ９を除く構成部分が上記制御装置１５に相当している。また、携帯電話機１６の電気的構成としては、ブルートースモジュール（Ｂｌｕｅｔｏｏｔｈ  Ｍｏｄｕｌｅ）１７だけを図示しているが、携帯電話機１６の図示しない周知の電気的構成が備わっている。
【００１８】
上記図２に示すように、ハンズフリーシステム１の制御装置１５は、ＭＰＵ１８、エコーキャンセラ１９、イコライザ２０、アンプ２１、ＣＯＤＥＣ２２、ブルートースモジュール（Ｂｌｕｅｔｏｏｔｈ  Ｍｏｄｕｌｅ）２３、ノイズキャンセラ２４、イコライザ２５及びアンプ２６を備えて構成されている。この場合、ＭＰＵ１８が、エコーキャンセラ１９、イコライザ２０、アンプ２１、ＣＯＤＥＣ２２、ブルートースモジュール（Ｂｌｕｅｔｏｏｔｈ  Ｍｏｄｕｌｅ）２３、ノイズキャンセラ２４、イコライザ２５及びアンプ２６をそれぞれ制御するように構成されている。
【００１９】
また、ＭＰＵ１８は、状態インジケータ９のＬＥＤ１０〜１４、３０をそれぞれ点灯制御するように構成されている。そして、ハンズフリーシステム１のブルートースモジュール２３と、携帯電話機１６のブルートースモジュール１７との間には、後述するようにして、ブルートースリンク（Ｂｌｕｅｔｏｏｔｈ  Ｌｉｎｋ）がアクティブな状態に設定されるように、即ち、無線によるリンクが設定されるように構成されている。
【００２０】
尚、上記２つのブルートースモジュール１７、２３間で無線通信を行う場合、いずれか一方をマスタに設定し、他方をスレーブに設定する必要がある。通常、ハンズフリーシステム１のブルートースモジュール２３側をマスタに設定することが好ましい。これは、ハンズフリーシステム１は車載バッテリから電源をとっているため、電源の容量の面で有利なためである。
【００２１】
そして、上記ブルートースリンクがアティブな状態に設定されると、ハンズフリーシステム１と携帯電話機１６との間でデータや信号等を無線通信によって送受することが可能なように構成されている。即ち、ブルートースモジュール１７、２３が無線通信手段を構成している。更にまた、上記ブルートースリンクがアクティブな状態で、後述するようにしてブルートースの音声パスが設定されると、ハンズフリーシステム１と携帯電話機１６との間で音声信号を送受信することができるように構成されている。
【００２２】
また、ハンズフリーシステム１及び携帯電話機１６と、他の携帯電話機や公衆電話網の電話機等との間の電話回線が接続された通話状態の場合、ハンズフリーシステム１においては、音声（送話音声）がマイク４に入力されると、マイク４から音声信号が出力され、この音声信号は、エコーキャンセラ１９、イコライザ２０、アンプ２１を通ってＣＯＤＥＣ２２へ与えられ、ここで、デジタルの音声信号に変換されると共に符号化される。この音声信号は、ブルートースモジュール２３を経由することにより電波信号として送信されるように構成されている。そして、携帯電話機１６は、上記電波信号をブルートースモジュール１７を介して受信すると共に、この受信信号（即ち、送話音声信号）を他の携帯電話機や公衆電話網の電話機等へ送信するように構成されている。
【００２３】
一方、他の携帯電話機や公衆電話網の電話機等から送信された受話音声信号を携帯電話機１６が受信すると、この受信信号はブルートースモジュール１７を介して電波信号としてハンズフリーシステム１へ送信されるように構成されている。そして、ハンズフリーシステム１のブルートースモジュール２３が上記受話音声信号を受信すると、この受話音声信号はＣＯＤＥＣ２２へ与えられ、ここで、復号化されると共にアナログの音声信号に変換される。そして、この受話音声信号は、ノイズキャンセラ２４、イコライザ２５、アンプ２６を経由してスピーカ３へ与えられ、スピーカ３から受話音声が出力されるように構成されている。これにより、ハンズフリーシステム１（即ち、携帯電話機１６）と、他の携帯電話機や公衆電話網の電話機等との間で通話を実行できる構成となっている。
【００２４】
次に、上記した構成のハンズフリーシステム１及び携帯電話機１６の動作について、図３ないし図１３を参照して説明する。まず、ハンズフリーシステム１と携帯電話機１６との間でブルートースリンクが確立されるシーケンスについて、図３に従って述べる。
【００２５】
尚、ハンズフリーシステム１は、車両の車室内に搭載された状態で、車室内に搭載された複数の機器（例えばオーディオ装置やカーナビ装置やパソコン等）と共にブルートースによる車内ＬＡＮが構成されている。この場合、複数の機器にもブルートースモジュールがそれぞれ内蔵されている。そして、ハンズフリーシステム１のブルートースモジュール２３をマスタとし、他の機器のブルートースモジュールをスレーブとしている。勿論、他の機器のいずれか１つの機器のブルートースモジュールをマスタとし、それ以外をスレーブとしても良い。
【００２６】
さて、電源が入っている携帯電話機１６を所持している運転者が車室内に乗り込み、エンジンの始動キー（イグニッションキー）を回動させてＡＣＣ位置或はＩＧ位置に位置させると、ハンズフリーシステム１に電源が投入される。すると、図３に示すように、ハンズフリーシステム１は、車内ＬＡＮに接続される機器がないか、データリンク要求信号を周辺機器に対して送出するように構成されている。
【００２７】
ここで、携帯電話機１６が、上記データリンク要求信号を受けると、データリンク応答の信号をハンズフリーシステム１へ返すように構成されている。これにより、ハンズフリーシステム１と携帯電話機１６との間でブルートースリンクが確立され、該ブルートースリンクがアクティブな状態に設定される。そして、ハンズフリーシステム１の制御装置１５は、状態インジケータ９のブルートースリンクアクティブ表示用のＬＥＤ３０を点灯するように構成されている。このＬＥＤ３０の点灯により、運転者（ユーザー）は、上記ブルートースリンクがアクティブ状態になったことを明確に認識できる。
【００２８】
そして、上記ブルートースリンクがアクティブ状態で、ユーザーが携帯電話機１６において発呼操作または着呼操作を実行すると、図４に示すように、携帯電話機１６からハンズフリーシステム１へ音声リンク要求の信号が送出される。続いて、ハンズフリーシステム１が、上記音声リンク要求を受けると、音声リンク応答の信号を携帯電話機１６へ返すように構成されている。
【００２９】
これにより、ハンズフリーシステム１と携帯電話機１６との間に、ブルートースによる音声パスが設定される。この結果、携帯電話機１６と、他の携帯電話機や公衆電話網の電話機等との間が通話状態であれば、ユーザーは、ハンズフリーシステム１のスピーカ３及びマイク４を利用して音声通話を実行することができるようになる。
【００３０】
尚、携帯電話機１６における発呼操作とは、例えば、通話開始キーを操作して、電話番号を入力する操作である。また、着呼操作とは、例えば、携帯電話機１６が着呼（着信）動作しているときに、通話開始キーを操作する操作である。この場合、携帯電話機１６の自動着呼（着信）機能を設定しておくと、上記着呼操作を行わなくても、上記した音声パスが自動的に設定されるように構成されている。
【００３１】
次に、ハンズフリーシステム１の本体ケース２に設けられた状態インジケータ９の圏外表示用のＬＥＤ１０の点灯動作について、図５を参照して説明する。携帯電話機１６は、常時、サービスエリア内、即ち、圏内にいるか否か（圏外であるか）を監視している。そこで、携帯電話機１６は、圏内または圏外の状態が変化したときに、上記ブルートースリンクがアクティブな状態であれば、圏外表示オン要求または圏外表示オフ要求の信号をハンズフリーシステム１へ送出するように構成されている。
【００３２】
具体的には、図５に示すように、携帯電話機１６が圏外を検出すると、その時点で、圏外表示オン要求の信号をハンズフリーシステム１へ送出する。すると、ハンズフリーシステム１は、上記圏外表示オン要求の信号を受けて、状態インジケータ９の圏外表示用のＬＥＤ１０を点灯するように構成されている。この後、携帯電話機１６が圏内を検出すると、その時点で、圏外表示オフ要求の信号をハンズフリーシステム１へ送出する。すると、ハンズフリーシステム１は、上記圏外表示オフ要求の信号を受けて、状態インジケータ９の圏外表示用のＬＥＤ１０を消灯するように構成されている。
【００３３】
また、携帯電話機１６は、常時、受信電界強度をモニタしている。そこで、携帯電話機１６は、上記ブルートースリンクがアクティブな状態であれば、検知した受信電界強度をハンズフリーシステム１へ送出するように構成されている。
【００３４】
具体的には、図６に示すように、携帯電話機１６が受信電界強度を設定時間毎に繰り返し検出すると、その検出時点で、受信電界強度の信号（信号ヘッダ及び受信レベルを表示する信号）をハンズフリーシステム１へ送出する。すると、ハンズフリーシステム１は、上記受信電界強度の信号を受けて、状態インジケータ９の受信電界強度表示用のＬＥＤ１２、１３、１４を点灯制御するように構成されている。
【００３５】
この場合、受信電界強度の強さに応じてＬＥＤ１２、１３、１４の点灯個数を調整するように構成されている。例えば、受信電界強度を３段階に分けて、受信電界強度が最大のときは３個のＬＥＤを点灯させ、受信電界強度が中ぐらいときは２個のＬＥＤを点灯させ、受信電界強度が最小のときは１個のＬＥＤを点灯させるように構成しても良い。この場合、ＬＥＤの個数は、３個に限られるものではなく、４個以上設けても良い。尚、ＬＥＤの点灯個数で受信電界強度を表示する構成に代えて、ＬＥＤの点灯の明るさや点滅点灯のパターン等で受信電界強度を表示するように構成しても良い。
【００３６】
一方、本実施例では、上記ブルートースリンクがアクティブな状態であるちきには、携帯電話機１６をハンズフリーシステム１のリモコンとして利用することが可能なように構成されている。具体的に説明すると、まず、携帯電話機１６は、通常、マイク感度設定機能、スピーカの音量設定機能、エコーキャンセラ設定機能、音声イコライザ設定機能等の種々の設定機能を備えており、該携帯電話機１６の筐体に設けられた各種の操作キーを操作することにより、上記種々の設定を実行できるように構成されている。そして、ハンズフリーシステム１にも、携帯電話機１６とほぼ同じ種々の設定機能が備わっている。
【００３７】
そこで、携帯電話機１６は、上記ブルートースリンクがアクティブな状態であるときに、上記種々の設定機能を実行するための操作キーが操作されたときには、ハンズフリーシステム１の種々の設定機能が動作して各設定が変更されるように構成されている。
【００３８】
例えば、ブルートースリンクがアクティブな状態であるときに、図７に示すように、携帯電話機１６側でマイク感度変更の操作が実行されると、マイク感度設定の信号（即ち、マイク感度アップまたはダウンの信号）がハンズフリーシステム１へ送信されるように構成されている。すると、ハンズフリーシステム１は、上記マイク感度設定の信号を受けて、マイク４の感度をアップまたはダウンするように構成されている。尚、マイク感度の変更設定は、アンプ２１のゲインを調整することにより実行されるように構成されている。
【００３９】
また、ブルートースリンクがアクティブな状態であるときに、図８に示すように、携帯電話機１６側で音量変更の操作が実行されると、音量設定の信号（即ち、音量アップまたはダウンの信号）がハンズフリーシステム１へ送信されるように構成されている。すると、ハンズフリーシステム１は、上記音量設定の信号を受けて、スピーカ３の音量をアップまたはダウンするように構成されている。尚、スピ−カの音量変更設定は、アンプ２６のゲインを調整することにより実行されるように構成されている。
【００４０】
更に、ブルートースリンクがアクティブな状態であるときに、図９に示すように、携帯電話機１６側でエコーキャンセラをオンまたはオフする操作が実行されると、エコーキャンセラのオンまたはオフ設定の信号がハンズフリーシステム１へ送信されるように構成されている。すると、ハンズフリーシステム１は、上記エコーキャンセラのオンまたはオフ設定の信号を受けて、エコーキャンセラ１９をオンまたはオフ設定するように構成されている。
【００４１】
更にまた、ブルートースリンクがアクティブな状態であるときに、図１０に示すように、携帯電話機１６側で音声イコライザを設定する操作が実行されると、音声イコライザの設定信号（即ち、ノーマルまたは高域強調または低域強調の設定信号）がハンズフリーシステム１へ送信されるように構成されている。すると、ハンズフリーシステム１は、上記音声イコライザの設定信号を受けて、イコライザ２０、２５を設定するように構成されている。
【００４２】
次に、本実施例のハンズフリーシステム１は、音声ダイヤラの機能を備えており、以下、この機能について図１１及び図１２を参照して説明する。まず、音声ダイヤラには、不特定のユーザーが数字を発声することにより電話番号を直接認識する不特定話者認識と、事前に電話番号をユーザーが発声する名称（名前）と共に登録しておき、ユーザーが発声する名称を認識することにより、それに対応する電話番号を読み出す特定話者認識とがある。ここでは、特定話者認識について、以下説明する。
【００４３】
まず、特定話者認識の登録の動作について、図１１を参照して説明する。ブルートースリンクがアクティブな状態であるときに、図１１に示すように、携帯電話機１６で特定話者認識登録の操作（音声と電話番号を登録する操作）が実行されると、特定話者認識登録のコマンド（起動）の信号がハンズフリーシステム１へ送信されるように構成されている。すると、ハンズフリーシステム１は、上記コマンドの信号を受けて、特定話者認識の登録動作を起動させるように構成されている。
【００４４】
そして、特定話者認識の登録動作が起動されると、ハンズフリーシステム１は、電話番号入力要求（表示）の信号を携帯電話機１６へ送出するように構成されている。この信号を受けて、携帯電話機１６は、そのディスプレイに電話番号入力要求のメッセージ等（即ち、画面）を表示する。これと共に、ハンズフリーシステム１は、電話番号入力要求のメッセージに対応する合成音声を生成し、スピーカ３から出力するように構成されている。
【００４５】
続いて、ユーザーが、携帯電話機１６の種々の操作キーを操作することによって、電話番号を入力する操作と、電話番号入力の完了操作（例えば確定キーや通話開始キーを押す操作）とを行う。すると、携帯電話機１６は、入力された電話番号のデータをハンズフリーシステム１へ送信するように構成されている。
【００４６】
そして、上記電話番号のデータを受けると、ハンズフリーシステム１は、音声登録要求（表示）の信号を携帯電話機１６へ送出するように構成されている。この信号を受けて、携帯電話機１６は、そのディスプレイに音声登録要求のメッセージ等（即ち、画面）を表示する。これと共に、ハンズフリーシステム１は、音声登録要求のメッセージに対応する合成音声を生成し、スピーカ３から出力するように構成されている。
【００４７】
続いて、ユーザーが、登録したい名称の音声をハンズフリーシステム１のマイク４に向けて発声すると、その音声は該マイク４により入力され、ハンズフリーシステム１内に入力される。そして、ハンズフリーシステム１は、電話番号のデータと名称の音声のデータ（音声のデジタルデータのパターン）を対応させて内部の記憶手段（ＲＡＭやＥＥＰＲＯＭ等のメモリ）に登録するように構成されている。
【００４８】
尚、登録したい名称を携帯電話機１６の種々の操作キーを操作することにより入力し、入力した名称のデータをハンズフリーシステム１へ送信し、ハンズフリーシステム１側で上記受信した名称のデータを合成音声のデータに変換してから登録するように構成しても良い。また、携帯電話機１６のマイクによって登録したい名称の音声を入力し、この入力した名称の音声データをハンズフリーシステム１へ送信して登録するように構成しても良い。
【００４９】
次に、特定話者認識の発信（発呼）の動作について、図１２を参照して説明する。前記ブルートースリンクがアクティブな状態であるときに、図１２に示すように、携帯電話機１６で特定話者認識による発信の起動操作（例えば携帯電話機１６の種々の操作キーの中の所定の操作キーを操作することによりなされる操作）が実行されると、特定話者認識の発信のコマンド（起動）の信号がハンズフリーシステム１へ送信されるように構成されている。すると、ハンズフリーシステム１は、上記コマンドの信号を受けて、特定話者認識の発信動作を起動させるように構成されている。
【００５０】
そして、特定話者認識の発信動作が起動されると、ハンズフリーシステム１は、発信先名（発信先の名称）要求のメッセージに対応する合成音声を生成し、スピーカ３から出力するように構成されている。続いて、ユーザーが、発信先の名称の音声をハンズフリーシステム１のマイク４に向けて発声すると、その音声は該マイク４により入力され、ハンズフリーシステム１内に入力される。そして、ハンズフリーシステム１は、上記入力した音声を認識し、認識した名称（認識結果）、または、登録されている名称（上記認識結果と一致する登録名称）の音声を合成し、スピーカ３から出力するように構成されている。この認識結果の名称の発声（出力）処理が、認識登録名再生の処理である。
【００５１】
続いて、上記スピーカ３から出力された音声を聞いたユーザーが、その出力音声で正しいと判断した場合には、携帯電話機１６側で発呼キー（通話開始キー）を操作する、即ち、発信（発呼）操作を実行する。すると、携帯電話機１６は、発信先の電話番号を要求する信号をハンズフリーシステム１へ送信するように構成されている。この信号を受けると、ハンズフリーシステム１は、上記認識結果と一致する登録名称に対応して登録されている電話番号を読み出し、この電話番号のデータと発信要求の信号を携帯電話機１６へ送信するように構成されている。これを受信すると、携帯電話機１６は、受信した電話番号の発信先へ自動的に発信するように構成されている。
【００５２】
尚、上述した携帯電話機１６側で発呼キーを操作する構成を止めて、代わりに、ハンズフリーシステム１側において、認識結果と一致する登録名称に対応して登録されている電話番号を読み出し、この電話番号のデータと発信要求の信号を携帯電話機１６へ送信した後、これを受信した携帯電話機１６が、予め決められた設定時間が経過した時点で、受信した電話番号の発信先へ自動的に発信するように構成しても良い。この構成の場合、上記設定時間が経時されている途中で、ユーザーにより取り消しキーが操作されたときには、自動発信を止めるように構成されている。
【００５３】
一方、上述した特定話者認識の発信に代えて、不特定話者認識の発信を実行する場合には、ハンズフリーシステム１側でユーザーが発声する電話番号を１桁の数字単位で音声認識するように構成すると共に、ユーザーが携帯電話機１６で発信操作を行ったときに、上記認識結果の電話番号のデータを携帯電話機１６へ送信して、携帯電話機１６にて発信するように構成すれば良い。
【００５４】
次に、ハンズフリーシステム１の状態インジケータ９の着信表示用のＬＥＤ３０の点灯動作について、図１３を参照して説明する。前記ブルートースリンクがアクティブな状態で、携帯電話機１６が着信動作すると、携帯電話機１６は着信表示用のＬＥＤ３０をオンする要求の信号をハンズフリーシステム１へ送信するように構成されている。上記要求の信号を受けると、ハンズフリーシステム１は、着信表示用のＬＥＤ３０を点灯させるように構成されている。
【００５５】
この後、ユーザーが、携帯電話機１６において着信応答操作（通話開始キーを押す操作）を実行すると、携帯電話機１６は着信表示用のＬＥＤ３０をオフする要求の信号をハンズフリーシステム１へ送信するように構成されている。上記要求の信号を受けると、ハンズフリーシステム１は、着信表示用のＬＥＤ３０を消灯させるように構成されている。尚、ユーザーが携帯電話機１６において着信応答操作すると、前述したようにして、ハンズフリー通話が実行できるようになっている（図４参照）。
【００５６】
また、携帯電話機１６において自動着信機能が設定されている場合には、自動着信が実行された時点で、携帯電話機１６は着信表示用のＬＥＤ３０をオフする要求の信号をハンズフリーシステム１へ送信するように構成されている。そして、これ以降の動作は、図１３の場合と同じである。
【００５７】
このような構成の本実施例によれば、携帯電話機１６が車両の室内に持ち込まれたときに、この携帯電話機１６とハンズフリーシステム１との間でデータや信号等を無線通信（例えばブルートースリンク）によって送受するように構成したので、ハンズフリーシステム１と携帯電話機１６を接続する接続ケーブル及び接続作業を不要にすることができる。
【００５８】
また、上記実施例では、携帯電話機１６を、ハンズフリーシステム１の動作の調整等を実行するリモコンとして使用可能なように構成したので、ハンズフリーシステム１に各種の操作キーを設けなくても済み、全体の構成を簡単化することができる。
【００５９】
更に、上記実施例においては、携帯電話機１６の圏外、電界強度、着信等の情報を表示する状態インジケータ９を、ハンズフリーシステム１の本体ケース２に設けるように構成したので、上記状態インジケータ９を視認することにより、携帯電話機１６の圏外、電界強度、着信等の情報を容易に認識することができ、使い勝手が良くなる。
【００６０】
一方、上記実施例において、ハンズフリーシステム１の本体ケース２内に、携帯電話機１６を充電する充電回路を配設すると共に、上記充電回路から出力される電力を携帯電話機１６へ供給する充電ケーブルを備え、この充電ケーブルの一端を携帯電話機１６に着脱可能に接続するように構成しても良い。この場合、充電ケーブルの一端を携帯電話機１６に着脱可能に接続するに当たっては、例えば１６芯のコネクタまたは１８芯のコネクタを用いることが好ましい。また、充電ケーブルの他端をハンズフリーシステム１の本体ケース２に着脱可能に構成することも好ましい構成である。
【００６１】
そして、上記したように、ハンズフリーシステム１に充電回路と充電ケーブルとを備えるように構成したので、車両の室内において、携帯電話機１６を容易に充電することができる。
【００６２】
尚、ハンズフリーシステムと携帯電話機を接続ケーブルで接続する構成（従来構成のハンズフリーシステム）において、充電回路と充電ケーブルとを備えるように構成しても良い。
【００６３】
また、上記実施例では、ハンズフリーシステム１のスピーカ３とマイク４を運転者用のシートのヘッドレストに取り付けるように構成したが、車室内の他の部位に取り付けるように構成しても良い。更に、上記実施例においては、ハンズフリーシステム１と携帯電話機１６との間の無線通信方式として例えばブルートースリンクを用いるように構成したが、これに限られるものではなく、他の無線通信方式を用いるように構成しても良い。
【図面の簡単な説明】
【００６４】
【図１】本発明の一実施例を示すハンズフリーシステムの全体の概略構成図
【図２】ハンズフリーシステム及び携帯電話機のブロック図
【図３】ハンズフリーシステムと携帯電話機との間でブルートースリンクが確立されるまでの動作を示す図
【図４】ハンズフリーシステムと携帯電話機との間にブルートースによる音声パスが設定されるまでの動作を示す図
【図５】ハンズフリーシステムの状態インジケータの圏外表示用のＬＥＤが点灯または消灯されるまでの動作を示す図
【図６】ハンズフリーシステムの状態インジケータの受信電界強度表示用のＬＥＤが点灯されるまでの動作を示す図
【図７】携帯電話機をハンズフリーシステムのリモコンとして使用しながらマイク感度を設定するときの動作を示す図
【図８】携帯電話機をハンズフリーシステムのリモコンとして使用しながら音量を設定するときの動作を示す図
【図９】携帯電話機をハンズフリーシステムのリモコンとして使用しながらエコーキャンセラを設定するときの動作を示す図
【図１０】携帯電話機をハンズフリーシステムのリモコンとして使用しながら音声イコライザを設定するときの動作を示す図
【図１１】音声ダイヤラ機能の登録動作を示す図
【図１２】音声ダイヤラ機能の発信動作を示す図
【図１３】ハンズフリーシステムの状態インジケータの着信表示用のＬＥＤが点灯または消灯されるまでの動作を示す図
【符号の説明】
【００６５】
１はハンズフリーシステム、２は本体ケース、３はスピーカ（音声出力手段）、４はマイク（音声入力手段）、５は取付部材、７は接続ケーブル、８はプラグ部、９は状態インジケータ（表示手段）、１０は圏外表示用のＬＥＤ、１１は着信表示用のＬＥＤ、１２、１３、１４は受信電界強度表示用のＬＥＤ、１５は制御装置（制御手段）、１６は携帯電話機、１７はブルートースモジュール（無線通信手段）、１８はＭＰＵ、２３はブルートースモジュール（無線通信手段）、３０はブルートースリンクアクティブ表示用のＬＥＤを示す。
【図１】
2005312067.tif 000003
【図２】
2005312067.tif 000004
【図３】
2005312067.tif 000005
【図４】
2005312067.tif 000006
【図５】
2005312067.tif 000007
【図６】
2005312067.tif 000008
【図７】
2005312067.tif 000009
【図８】
2005312067.tif 000010
【図９】
2005312067.tif 000011
【図１０】
2005312067.tif 000012
【図１１】
2005312067.tif 000013
【図１２】
2005312067.tif 000014
【図１３】
2005312067.tif 000015